(57)【要約】      （修正有）【課題】箱体から突出するディスプレイ部を容易に形成できる段ボール箱を提供する。【解決手段】段ボール箱は、前上側外フラップ９又は前壁３に前上側外フラップ９と前壁３との境界線に平行に延設された容易に破断できる横破断誘導線１９と、横破断誘導線１９の両端にそれぞれ接続され、横破断誘導線１９から下方に延設された容易に破断できる一対の縦破断誘導線１８と、縦破断誘導線１８の間に前上側外フラップ９と前壁３との境界線に平行に形成された容易に折り曲げられる複数の折曲容易線２１，２２，２３とを有する。さらに、横破断誘導線１９及び各縦破断誘導線１８を破断し、折曲容易線２１，２２，２３を折り曲げることによって横破断誘導線１９によって形成される縁部を一対の下側内フラップ１２，１６の側端の縁部１２ａ等に係止させる。【選択図】図２
0003183575.tif 000002
【実用新案登録請求の範囲】
【請求項１】
対向する前壁及び後壁並びに対向する左右一対の側壁を有する四角筒状部と、
上記前壁の上縁から延出する前上側外フラップと、
上記後壁の上縁から延出する後上側外フラップと、
上記各側壁の各上縁から延出する一対の上側内フラップと、
上記各側壁の各下縁から延出する一対の下側内フラップと
を備え、
上記前上側外フラップ又は上記前壁に上記前上側外フラップと上記前壁との境界線に平行に延設された容易に破断できる横破断誘導線と、
上記横破断誘導線の両端にそれぞれ接続され、上記横破断誘導線から下方に延設された容易に破断できる一対の縦破断誘導線と、
上記縦破断誘導線の間に上記前上側外フラップと上記前壁との境界線に平行に形成された容易に折り曲げられる複数の折曲容易線と
を有し、
箱型に組み立てた後、上記横破断誘導線及び上記各縦破断誘導線を破断し、上記折曲容易線を折り曲げることによって上記横破断誘導線によって形成される縁部を上記一対の下側内フラップの側端の縁部に係止させて陳列台として使用できる段ボール箱用シート。
【請求項２】
上記横破断誘導線が上記前上側外フラップにその全長に亘って形成され、
上記各縦破断誘導線が上記前上側外フラップの側縁を介して上記横破断誘導線に接続され、上記前壁と上記側壁との境界線上に形成されている請求項１に記載の段ボール箱用シート。
【請求項３】
上記横破断誘導線が上記前上側外フラップに形成され、
上記複数の折曲容易線の１つが上記前壁と上記前上側外フラップとの境界の角部形成用折曲容易線である請求項１又は請求項２に記載の段ボール箱用シート。
【請求項４】
上記各縦破断誘導線が上記前壁の下端に達し、
上記複数の折曲容易線の１つが上記前壁と上記前下側外フラップとの境界の角部形成用折曲容易線である請求項１、請求項２又は請求項３に記載の段ボール箱用シート。
【請求項５】
上記後壁及び上記各側壁の上記折曲容易線のいずれかと略同じ上下位置に延設され、上記後壁及び上記各側壁を切断可能な切断誘導帯部をさらに有し、
上記切断誘導帯部と略同じ上下位置にある上記折曲容易線が容易に破断できるように切り込みによって形成されている請求項１から請求項４のいずれか１項に記載の段ボール箱用シート。
【請求項６】
請求項１から請求項５のいずれか１項に記載の段ボール箱用シートを箱型に組立ててなる段ボール箱。
【考案の詳細な説明】
【技術分野】
【０００１】
本考案は、段ボール箱用シート及び段ボール箱に関する。
【背景技術】
【０００２】
商品を輸送するための箱に商品名等を印刷して、広告効果を持たせることがある。さらに、商品を輸送するための箱体の上部を除去することによりトレー状の陳列台としても利用できる段ボール箱、及び側面を切除して段積みすることにより棚状の陳列台としても利用できる段ボール箱も知られている。
【０００３】
陳列台としての広告効果に関し、特許文献１（特開２００８−２９７００３号公報）、特許文献２（特開２００１−２０６３５７号公報）及び特許文献３（特開２００４−５１１５０号公報）には、箱体を形成するパネルの一部を箱体の前方に突出させることで、消費者の目に留まり易いＰＯＰ広告を提供するディスプレイ部を形成する箱に関する発明が記載されている。
【０００４】
特開２００８−２９７００３号公報に記載の発明では、ラップラウンド式段ボール箱において、内フラップに、突き合わされる外フラップの端縁間に位置するヒンジ線を入れ、天面から端面側へ切目線を入れて天面板に切起部を形成し、切起部に幅方向の折曲容易線を入れて表示板及び差込片を端面側から順次設け、内フラップの基端に天面からヒンジ線まで切目線を入れ、陳列状態では、切目線を切断して、切起部を開き、内フラップをヒンジ線沿いに前下方に折り曲げ、表示板を後上方へ折り返し、差込片を下方へ折り曲げて、内フラップと外フラップの間又は突き合わされる外フラップの間に差込片を差し込むようにしている。
【０００５】
この発明は、箱体の側面において内フラップと外フラップとが接着されるラップラウンド式の輸送箱では有効であるが、フラップが底面と天面とに設けられるいわゆるＡ式の段ボール箱等には適用できない。
【０００６】
特開２００１−２０６３５７号公報に記載の発明は、前面板に傾斜表示部を区画して設けた紙箱において、傾斜表示板の上辺に、折込み繋止片を折り目線を介して連設して、この折込み繋止片の上辺を切れ目線を介して側面板と区画して、また傾斜表示板の下辺に、水平連設片を折り目線を介して連設して、この水平連設片の下辺を谷折り線を介して側面板と区画して、さらに折込み繋止片と傾斜表示板と水平連設片との左右辺を切れ目線を介して側面板と区画している。
【０００７】
この発明は、小型の商品等を単位数量収容するディスプレイカートンに適用され、主に中芯のないボール紙で形成されることが意図される。この発明を段ボールで形成される輸送箱に適用すると、成形の誤差や輸送中の突起の潰れによって、側面パネルが突起を係止できなくなる危険性がある。
【０００８】
特開２００４−５１１５０号公報に記載の発明では、直方体状のカートンにおいて、正面板の底辺から所定距離離れた位置に、該底辺に平行な表示部下端横折線を設け、該表示部下端横折線の両端から、上部に向かって平行或いはやや拡がる逆ハ字状をなす切目線が該正面板上端縁まで刻設され、前記表示部下端横折線の上方に折り出し板、表示板、係止用差込板が、前記表示部下端横折線と平行な表示部中間横折線及び表示部上端横折線を介して順に設けられ、前記表示部上端横折線両端に係止用切込部を刻設するとともに、前記切目線の所定位置に該係止用切込部が係止可能な係止突起をそれぞれ設けることにより、表示板を紙函から傾斜して突出させている。
【０００９】
この発明も、ボール紙からなるディスプレイカートンに関するものである。また、この発明では、突起を設けるために正面パネルの両側を残す必要があるためディスプレイ部の両側を残す必要があり、ディスプレイ部の幅を広くできないという欠点もある。
【先行技術文献】
【特許文献】
【００１０】
【特許文献１】特開２００８−２９７００３号公報
【特許文献２】特開２００１−２０６３５７号公報
【特許文献３】特開２００４−５１１５０号公報
【考案の概要】
【考案が解決しようとする課題】
【００１１】
上述のような事情に鑑みて、本考案は、箱体から突出するディスプレイ部を容易に形成できる段ボール箱用シート及び段ボール箱を提供することを課題とする。
【課題を解決するための手段】
【００１２】
上記課題を解決するためになされた本考案に係る段ボール箱用シートは、
対向する前壁及び後壁並びに対向する左右一対の側壁を有する四角筒状部と、
上記前壁の上縁から延出する前上側外フラップと、
上記後壁の上縁から延出する後上側外フラップと、
上記各側壁の各上縁から延出する一対の上側内フラップと、
上記各側壁の各下縁から延出する一対の下側内フラップと
を備え、
上記前上側外フラップ又は上記前壁に上記前上側外フラップと上記前壁との境界線に平行に延設された容易に破断できる横破断誘導線と、
上記横破断誘導線の両端にそれぞれ接続され、上記横破断誘導線から下方に延設された容易に破断できる一対の縦破断誘導線と、
上記縦破断誘導線の間に上記前上側外フラップと上記前壁との境界線に平行に形成された容易に折り曲げられる複数の折曲容易線と
を有し、
箱型に組み立てた後、上記横破断誘導線及び上記各縦破断誘導線を破断し、上記折曲容易線を折り曲げることによって上記横破断誘導線によって形成される縁部を上記一対の下側内フラップの側端の縁部に係止させて陳列台として使用できる。
【００１３】
当該段ボール箱用シートは、横破断誘導線及び一対の縦破断誘導線により画定されるディスプレイ部を箱体から突出させて、前壁の一部分に印刷されている文字や模様などを目に留まり易くする。当該段ボール箱では、ディスプレイ部の横破断誘導線により形成される縁部を下側内フラップの側端の縁部によって係止するので、構造が簡単であり、ディスプレイ部の形成が容易である。特に、当該段ボール箱用シートにおいて、上記横破断誘導線が上記前上側外フラップのテープを貼着する部分を箱体に残すように上記前上側外フラップを二つに分割できれば、ディスプレイ部を突出させたときにもテープによって箱体の強度が確保されるので、開封して陳列台にした状態の段ボール箱も段積みできる。
【００１４】
また、当該段ボール箱用シートにおいて、上記横破断誘導線が上記前上側外フラップにその全長に亘って形成され、上記各縦破断誘導線が上記前上側外フラップの側縁を介して上記横破断誘導線に接続され、上記前壁と上記側壁との境界線上に形成されてもよい。この構成では、ディスプレイ部の背面部の縁部が内フラップの側部の縁部の全長に亘って係合するので、ディスプレイ部の形状の保持が確実である。また、縦破断誘導線を前壁と側壁との間の折曲容易線上に形成したので、その切断が容易である。
【００１５】
また、当該段ボール箱用シートにおいて、上記横破断誘導線が上記前上側外フラップに形成され、上記複数の折曲容易線の１つが上記前壁と上記前上側外フラップとの境界の角部形成用折曲容易線であってもよい。この構成によれば、前上側外フラップの一部によってディスプレイ部の背面を構成するので、前壁の一部によって形成される表示面を大きくできる。さらに、前壁と前上側外フラップとの間の折曲容易線である折曲容易線が切り込みを入れずに形成されていれば、横破断誘導線によって形成される端部をシートの腰によって下側内フラップの側端の縁部に押し当てるので、その係止が確実になる。
【００１６】
また、当該段ボール箱用シートにおいて、上記各縦破断誘導線が上記前壁の下端に達し、上記複数の折曲容易線の１つが上記前壁と上記前下側外フラップとの境界の角部形成用折曲容易線であれば、前壁を下端まで開放するので、箱の内部の商品がよく見えるとともに、商品の取り出しも容易である。さらに、前壁と前下側外フラップとの間の折曲容易線である折曲容易線が切り込みを入れずに形成されていれば、横破断誘導線及び縦破断誘導線により画定されるディスプレイ部をシートの腰により箱体から突出させられる。
【００１７】
また、当該段ボール箱用シートは、上記後壁及び上記各側壁の上記折曲容易線のいずれかと略同じ上下位置に延設され、上記後壁及び上記各側壁を切断可能な切断誘導帯部をさらに有し、上記切断誘導帯部と略同じ上下位置にある上記折曲容易線が容易に破断できるように切り込みによって形成されていてもよい。この構成によれば、当該段ボール箱を切断誘導帯部及び折曲容易線に沿って切断することでトレー状にして商品を陳列できる。
【００１８】
また、本考案に係る段ボール箱は、上述の段ボール箱用シートを組み立ててなる。
【考案の効果】
【００１９】
以上説明したように、本考案の段ボール箱用シートを組み立ててなる段ボール箱は、横破断誘導線により形成される縁部を下側内フラップの側端の縁部に係止させることによって箱体から突出するディスプレイ部の形状を保持するので、構造が簡単であるとともに、ディスプレイ部を形成する作業が容易である。
【図面の簡単な説明】
【００２０】
【図１】本考案の第一実施形態に係る段ボール箱を示す模式的斜視図である。
【図２】図１の段ボール箱を形成するための段ボール箱用シートを示す模式的展開図である。
【図３】図１の段ボール箱を陳列用に開封した状態を示す模式的斜視図である。
【図４Ａ】図１の段ボール箱の開封手順を示す模式的断面図である。
【図４Ｂ】図４Ａの次の開封手順を示す模式的断面図である。
【図４Ｃ】図４Ｂの次の開封手順を示す模式的断面図である。
【図４Ｄ】図１の段ボール箱を陳列用に開封した状態を示す模式的断面図である。
【図５】図１の段ボール箱を陳列用に開封した異なる状態を示す模式的斜視図である。
【図６】本考案の第二実施形態に係る段ボール箱を陳列用に開封した状態を示す模式的斜視図である。
【図７】本考案の第三実施形態に係る段ボール箱用シートの模式的展開図である。
【図８】図７の段ボール箱を陳列用に開封した状態の模式的断面図である。
【図９】本考案の第４実施形態に係る段ボール箱用シートの模式的展開図である。
【考案を実施するための形態】
【００２１】
［第一実施形態］
以下、適宜図面を参照しつつ、本発明の実施形態を詳説するが、まず図１乃至図４Ｄを用いて本発明の第一実施形態について説明する。
【００２２】
図１の段ボール箱１は、図２の１枚の段ボール箱用シート２を箱型に組み立てることによって構成される。
【００２３】
段ボール箱用シート２は、図２に示すように段ボール原紙から切り出された１枚のシートである。図２において、太い実線はシートが切断されたエッジを示す。段ボールの中芯の稜線は、図２の上下方向に配置される。図中の破線は、実際に断続的にシートを切断したいわゆるミシン目である。また、細い実線はシートに型押しして折り曲げやすくした折曲容易線を示す。
【００２４】
段ボール箱用シート２は、段ボール箱１の正面となる横長の長方形状の前壁３と、前壁３の一方の側辺に連接した方形状の第１側壁４と、第１側壁４の側辺に連接し、外形が前壁３等しい後壁５と、後壁５の側辺に連接し、外形が第１側壁４と等しい第２側壁６とを有する四角筒状部７を備える。四角筒状部７は、さらに、前壁３の他方の側辺に連接した縦に長い帯状の貼着片８を有し、この貼着片８を第２側壁６の側辺部の裏面に貼着することによって四角筒状に形成される。
【００２５】
段ボール箱用シート２は、前壁３の上縁から延出する前上側外フラップ９と、前壁３の下縁から延出する前下側外フラップ１０と、第１側壁４の上縁から延出する第１上側内フラップ１１と、第１側壁４の下縁から延出する第１下側内フラップ１２と、後壁５の上縁から延出する後上側外フラップ１３と、後壁５の下縁から延出する後下側外フラップ１４と、第２側壁６の上縁から延出する第２上側内フラップ１５と、第２側壁６の下縁から延出する第２下側内フラップ１６と、貼着片８の上端から延出する上側貼着部１７とを備える。フラップ９〜１６は、いずれも、上下方向の高さが側壁４，６の水平方向の幅（段ボール箱１における奥行き）の約半分である。
【００２６】
尚、本願において、段ボール箱１の幅は、前壁３及び後壁５の水平方向の長さを意味し、側壁４，６の水平方向の長さ、つまり段ボール箱１の奥行きよりも短い場合も想定される。本実施形態の段ボール箱１は、幅が３２３ｍｍ、奥行きが１４４ｍｍ、高さが１４１ｍｍである。また、フラップ９〜１６その向きが変化し得るが、その向きに関わらず、平坦なシートの状態における方向を用いて説明する。例として、前上側外フラップ９を前壁３に密着するように折り返した場合にも、前壁３の中程であって前上側外フラップ９の下側に位置する端部を前上側外フラップ９の上端と呼ぶ。
【００２７】
段ボール箱用シート２は、前壁３の両側、つまり前壁３と第１側壁４との境界、並びに前壁３と貼着片８との境界に、それに沿ってシートを容易に破断できる縦破断誘導線１８がそれぞれ形成されている。縦破断誘導線１８は、ミシン目状の断続的な切り込みからなり、それに沿ってシートを容易に折り曲げ可能とする折曲容易線としても機能する。
【００２８】
前上側外フラップ９には、その全長に亘って長さ方向に延伸するミシン目状の横破断誘導線１９が形成されている。横破断誘導線１９は、その中央部に１０ｍｍから１００ｍｍ、好ましくは３０ｍｍから８０ｍｍの長さに亘って連続的に切り込まれた取手部２０を有し、取手部２０を強く押すことで、横破断誘導線１９の破断を開始し、前上側外フラップ９を中央から横破断誘導線１９に沿って切断可能としている。
【００２９】
また、前壁３の上下方向中央には、その長さ全体に亘って延伸するミシン目状の切り込みからなる折り曲げ容易な中折曲容易線２１が形成されている。中折曲容易線２１は、それに沿ってシートを破断できる破断誘導線としても機能する。このような中折曲容易線２１は、縦破断誘導線１８及び横破断誘導線１９よりも、破断しにくいように、個々の切り込みの長さ及び切り込みの間隔が選択されてもよい。
【００３０】
前壁３と前上側外フラップ９との間の折曲容易線は、後で詳細に説明する上折曲容易線２２として参照され、前壁３と前下側外フラップ１０との間の折曲容易線は、後述する下折曲容易線２３として参照される。
【００３１】
本考案では、２本の縦破断誘導線１８、横破断誘導線１９及び下折曲容易線２３によって画定される方形の部分をディスプレイ部２４と呼び、下折曲容易線２３と中折曲容易線２１との間の部分、つまり前壁３の下側を底面部２５と称し、中折曲容易線２１と上折曲容易線２２との間の部分、つまり前壁３の上側を表示面部２６と称し、上折曲容易線２２と横破断誘導線１９との間の部分、つまり前上側外フラップ９の下側を背面部２７と称する。
【００３２】
さらに、第１側壁４、第２側壁６、第２側壁６及び貼着片８には、中折曲容易線２１と同じ上下位置を長さ方向に延伸するミシン目状の第１破断容易線２８と、第１破断容易線２８の１０ｍｍから３０ｍｍ上方に第１破断容易線２８と平行に延伸するミシン目状の第２破断容易線２９とで形成される帯状の切断誘導帯部３０が形成されている。切断誘導帯部３０は、段ボール箱１のディスプレイ部２４を除く部分の全周に亘って形成されている。また、切断誘導帯部３０は、後壁５の中央部において、上下方向に延伸する切り込みによってその長さが二分されるとともに、第１破断容易線２８及び第２破断容易線２９が２０ｍｍ以上８０ｍｍ、好ましくは３０ｍｍ以上５０ｍｍ以下の長さに亘って連続して切り込まれている。これにより、切断誘導帯部３０は、略転倒Ｈ字型の切り込みにより形成された、対向する２つの帯端部３１を有する。
【００３３】
段ボール箱１は、いわゆるＡ式の段ボール箱である。段ボール箱１を形成する段ボール箱用シート２は、前壁３と第１側壁４との間及び後壁５と第２側壁６との間の折曲容易線で折り返され、貼着片８及び上側貼着部１７が第２側壁６及び第２上側内フラップ１５の側端の裏面に接着された状態で、ユーザに供給される。ユーザは、前壁３と後壁５とが正対し、且つ、第１側壁４と第２側壁６とが正対するように、四角筒状部７の各壁３〜６の間の角をそれぞれ９０度にして段ボール箱１の４つの側面を構成する。そして、下側内フラップ１２，１６を内側に折り込んでから、下側外フラップ１０，１４の下端を付き合わせるようにして段ボール箱１の底面を形成する。このようにして形成した箱体の内部に商品等を詰めたなら、上側内フラップ１１，１５を折り込んでから上側外フラップ９，１３で箱体の上部を封止して段ボール箱１の天面を形成する。下側外フラップ１０，１４の合わせ目及び上側外フラップ９，１３の合わせ目には、両側の側壁４，６に跨るように粘着テープＴが貼着される。
【００３４】
段ボール箱１は、図１の状態で、商品を輸送するために使用される。そして、段ボール箱１は、図３に示すように開封すれば、段積み可能な商品陳列台としても使用できる。
【００３５】
段ボール箱１の開封手順を、図４Ａ乃至図４Ｄを参照しながら説明する。これらの図は、図１におけるＡ−Ａ線断面矢視図であり、段ボール箱１を幅方向の中央で切断した図である。図１の状態の段ボール箱１を図２の陳列台の状態に開封するためには、先ず、横破断誘導線１９の取手部２０に手を差し込んで横破断誘導線１９を切断し、図４Ａに示すように上折曲容易線２２を伸長又は谷折りするように背面部２７を引き起こす。
【００３６】
続いて、前壁３の上部を前側に引っ張るようにして、両側の縦破断誘導線１８を切断し、図４Ｂに示すように、下折曲容易線２３を伸長してディスプレイ部２４全体を箱体の前方に引き出す。そして、図４Ｃに示すように、中折曲容易線２１を山折りする。このとき底面部２５と表示面部２６とを密着させるようにして、中折曲容易線２１に十分な折り癖を付けることが好ましい。
【００３７】
その後、図４Ｄに示すように、上折曲容易線２２を再び山折りして、底面部２５、表示面部２６及び背面部２７が断面において背面部２７を底辺とする略２等辺三角形状の筒状となるようにする。下折曲容易線２３及び上折曲容易線２２は、切り込みが入れられていないので、段ボールシートの腰（復原力）によって伸長しようとする。したがって、底面部２５は、下折曲容易線２３の伸長により箱体の側方に略水平に突出する。また、上折曲容易線２２の伸長は、背面部２７を揺動させて、底面部２５に近接している背面部２７の上端の縁部２７ａを箱体の内側に移動させようとする。すると、背面部２７の上端の縁部２７ａが、下側内フラップ１０，１４の側部の縁部１２ａ，１６ａに押し当てられる。これにより、下側内フラップ１０，１４の側部の縁部１２ａ，１６ａが背面部２７の上端の縁部２７ａを係止するので、ディスプレイ部２４が三角筒状の形状に保持される。
【００３８】
このように、段ボール箱１は、横破断誘導線１９および縦破断誘導線１８に沿った直線的なシートの破断と、下折曲容易線２３，中折曲容易線２１及び上折曲容易線２２に沿った直線的なシートの曲げ伸ばしとだけによって、ディスプレイ部２４の三角筒状の形状を容易に形成できる。
【００３９】
段ボール箱１は、図４Ｄに示した陳列台の形態において、前壁３が側壁４，６から分離されているが、前下側外フラップ１０が粘着テープＴによって後下側外フラップ１４及び両側の側壁４，６に接続されていることにより間接的に箱体から分離しないように保持されている。また、縦破断誘導線１８に隣接する貼着片８は、縦破断誘導線１８を破断した後の第２側壁６を補強する。
【００４０】
また、横破断誘導線１９は、前上側外フラップ９の粘着テープＴが貼着される部分を残して、ディスプレイ部２４の背面部２７を分離することが望まれる。段ボール箱１の上面の粘着テープＴを残すことにより、箱体の強度低下を小さくできるので、ディスプレイ部２４を引き出した状態でも、段ボール箱１を段積みすることが可能となる。
【００４１】
さらに、段ボール箱１は、図１の箱型の状態から、切断誘導帯部３０を第１破断容易線２８，２６に沿って切り離すとともに、前壁３を中折曲容易線２１に沿って切断することによって、図５に示すようなトレー状にすることができる。つまり、段ボール箱１は、２つの異なる陳列台の形態を選択できる。尚、第１破断容易線２８，２６に加えて、或いは、第１破断容易線２８，２６に換えて、シートの裏面にカットテープを貼着して第１側壁４、第２側面パネル及び第２側壁６を水平方向に切断可能としてもよい。カットテープは、通常の製造方法では前壁３の裏面にも貼着されるので、縦破断誘導線１８を形成する際にカットテープを両縦破断誘導線１８上で切断しておくことが好ましい。
【００４２】
［第二実施形態］
次に、本発明の第二実施形態について図６を用いて説明する。なお、第二実施形態において、第一実施形態と同一構成又は同一機能を有する部材については同一符号を用い、説明を省略することがある。
【００４３】
図６の本実施形態に係る段ボール箱１ａは、不図示の段ボール箱用シートを粘着テープＴを用いて箱型に組み立てることにより構成される。段ボール箱１ａは、横破断誘導線１９が前上側外フラップ９の両端に達しておらず、縦破断誘導線１８が前上側外フラップ９及び前壁３を縦断するように横破断誘導線１９の両端から下折曲容易線２３まで延伸している。本実施形態のように、前壁３の長さ方向の両端部を箱体に残すようにディスプレイ部２４を分離すれば、箱体の強度低下がより少なくて済む。代案として、一対の縦破断誘導線１８は、互いの間隔が下側ほど広くなるように斜めに形成してもよい。
【００４４】
［第三実施形態］
次に、本発明の第三実施形態について図７及び図８を用いて説明する。なお、第三実施形態において、第一又は第二実施形態と同一構成又は同一機能を有する部材については同一符号を用い、説明を省略することがある。
【００４５】
本実施形態に係る段ボール箱１ｂは、図７の１枚の段ボール箱用シート２ｂを粘着テープＴを用いて箱型に組み立てることによって構成される。
【００４６】
段ボール箱１ｂは、下折曲容易線２３が切断誘導帯部３０の第１破断容易線２８と同じ上下位置に形成されたミシン目状の切り込みからなる破断容易線である。したがって、本実施形態のディスプレイ部２４は、前壁３の下端を残して箱体から前方に引き出される。また、段ボール箱１ｂをトレー状にする場合には、下折曲容易線２３が切断される。
【００４７】
また、段ボール箱用シート２ｂにおいて、下側内フラップ１０，１４は、前壁３側の側端の縁部１２ａ，１６ａがわずかに後退するように、上側内フラップ１１，１５よりも幅が少し狭くなっている。図８に示すように、段ボール箱１ｂをディスプレイ部２４が三角筒状に突出した陳列台として使用する場合、背面部２７の展開図における上部が三角筒から突出して、箱体に残された前壁３の下部の裏面に密接するように箱体の内部に挿入される。段ボール箱１ｂでは、下側内フラップ１２，１６の側端の縁部１２ａ，１６ａが前壁３からわずかに後退しているので、前壁３と下側内フラップ１０，１４との間に、ディスプレイ部２４の背面部２７の先端の縁部２７ａを確実に挿入可能とするように隙間が形成されている。これにより、背面部２７の縁部２７ａが下側内フラップ１２，１６の縁部１２ａ，１６ａによって確実に係止され、ディスプレイ部２４の筒状の形態が保持される。
【００４８】
［第四実施形態］
さらに、本発明の第四実施形態について図９を用いて説明する。なお、第四実施形態において、第一、第二又は第三実施形態と同一構成又は同一機能を有する部材については同一符号を用い、説明を省略することがある。
【００４９】
図９の本実施形態の段ボール箱１ｃは、横破断誘導線１９が前壁３に形成されている。つまり、本実施形態は、所望のディスプレイ部２４の大きさに比して前壁３の高さ大きい場合には、前壁３内にディスプレイ部２４全体を画定してもよいことを示す。
【００５０】
ディスプレイ部２４を前壁３と第１上側外フラップと７に跨って形成する場合には、ディスプレイ部２４の中に中折曲容易線２１及び上折曲容易線２２以外に折曲容易線が存在するとディスプレイ部２４が矩形断面筒状となって形状が安定しないので、上折曲容易線２２を前壁３と前上側外フラップ９との境界の角部形成用折曲容易線と兼用することが好ましい。
【００５１】
また、段ボール箱１ｃの上折曲容易線２２は、切り込みを設けずに型押しのみによって形成されている。このように、中折曲容易線２１は、十分な曲げ癖を付けられるようにミシン目が入れられることが好ましいのに対し、上折曲容易線２２は、背面部２７の先端の縁部２７ａを下側内フラップ１０，１４の側端の縁部１２ａ，１６ａに圧接できるように、シートの腰を残すような方法で形成されることが好ましい。
【産業上の利用可能性】
【００５２】
本考案は、Ａ式の段ボール箱は当然ながら、差し込みフラップを有するＢ式カートン等の底面に内フラップを有する形式の段ボール箱に広く適用できる。
【符号の説明】
【００５３】
１，１ａ，１ｂ，１ｃ…段ボール箱
２，２ｂ…段ボール箱用シート
３…前壁
４…第１側壁
５…後壁
６…第２側壁
７…四角筒状部
８…貼着片
９…前上側外フラップ
１０…前下側外フラップ
１１…第１上側内フラップ
１２…第１下側内フラップ
１２ａ…縁部
１３…後上側外フラップ
１４…後下側外フラップ
１５…第２上側内フラップ
１６…第２下側内フラップ
１６ｂ…縁部
１７…上側貼着部
１８…縦破断誘導線
１９…横破断誘導線
２１…中折曲容易線
２２…上折曲容易線
２３…下折曲容易線
２４…ディスプレイ部
２５…底面部
２６…表示面部
２７…背面部
２７ａ…縁部
３０…切断誘導帯部
【図１】
0003183575.tif 000003
【図２】
0003183575.tif 000004
【図３】
0003183575.tif 000005
【図４Ａ】
0003183575.tif 000006
【図４Ｂ】
0003183575.tif 000007
【図４Ｃ】
0003183575.tif 000008
【図４Ｄ】
0003183575.tif 000009
【図５】
0003183575.tif 000010
【図６】
0003183575.tif 000011
【図７】
0003183575.tif 000012
【図８】
0003183575.tif 000013
【図９】
0003183575.tif 000014